(57)【要約】【課題】画像形成と画像形成装置の補正動作とに分けて記録材の消費量を算出することが可能な画像形成装置を提供することを課題とする。【解決手段】トナーを用いて記録媒体Ｐに画像データに基づく画像を形成する画像形成装置１において、記録媒体Ｐに画像データに基づく画像を形成する通常動作時のトナーの消費量と、通常動作時以外で記録媒体Ｐに画像を形成する補正動作時のトナーの消費量とをそれぞれ算出する書込処理部３６と、書込処理部３６により算出された通常動作時及び補正動作時のトナーの消費量をそれぞれ累積加算して記憶する不揮発メモリ３１と、不揮発メモリ３１に記憶された通常動作時及び補正動作時のトナーの消費量をそれぞれ表示する操作表示部２とを備えていることを特徴とする。【選択図】図２
2007187872.tif 000002
【特許請求の範囲】
【請求項１】
記録材を用いて記録媒体に画像データに基づく画像を形成する画像形成装置において、
前記記録媒体に前記画像データに基づく画像を形成する通常動作時の前記記録材の消費量と、前記通常動作時以外で前記記録媒体に画像を形成する補正動作時の前記記録材の消費量とをそれぞれ算出する算出手段と、
前記算出手段により算出された前記通常動作時及び前記補正動作時の前記記録材の消費量をそれぞれ累積加算して記憶する記憶手段と、
前記記憶手段に記憶された前記通常動作時及び前記補正動作時の前記記録材の消費量をそれぞれ表示する表示手段とを備えていることを特徴とする画像形成装置。
【請求項２】
前記補正動作は、前記画像形成装置が定期的に実施する自動補正動作、又は、前記自動補正以外に前記補正動作を行う手動補正動作であることを特徴とする請求項１に記載の画像形成装置。
【請求項３】
記録材を用いて記録媒体に画像を形成する画像形成装置において、
前記記録媒体に画像を形成する使用者別に前記記録材の消費量を算出する算出手段と、
前記使用者別に算出された前記記録材の消費量をそれぞれ累積加算して記憶する記憶手段と、
前記記憶手段に記憶された使用者別の前記記録材の消費量を、前記使用者別に表示する表示する表示手段とを備えていることを特徴とする画像形成装置。
【請求項４】
前記使用者は、一般的な使用者である一般ユーザと、前記一般ユーザの管理をする管理者と、前記画像形成装置のメンテナンスをするサービスマンとであることを特徴とする請求項３に記載に画像形成装置。
【請求項５】
記録材を用いて記録媒体に画像データに基づく画像を形成する画像形成装置と通信可能に接続されたコンピュータに、
前記記録媒体に前記画像データに基づく画像を形成する通常動作時の前記記録材の消費量と、前記通常動作時以外で前記記録媒体に画像を形成する補正動作時の前記記録材の消費量とをそれぞれ算出する算出機能と、
前記算出手段により算出された前記通常動作時及び前記補正動作時の前記記録材の消費量をそれぞれ累積加算して記憶する記憶機能と、
前記記憶手段に記憶された前記通常動作時及び前記補正動作時の前記記録材の消費量をそれぞれ表示する表示機能とを実現させるためのプログラム。
【請求項６】
前記補正動作は、前記画像形成装置が定期的に実施する自動補正動作、又は、前記自動補正以外に前記補正動作を行う手動補正動作であることを特徴とする請求項５に記載のプログラム。
【請求項７】
記録材を用いて記録媒体に画像を形成する画像形成装置と通信可能に接続されたコンピュータに、
前記記録媒体に画像を形成する使用者別に前記記録材の消費量を算出する算出機能と、
前記使用者別に算出された前記記録材の消費量をそれぞれ累積加算して記憶する記憶機能と、
前記記憶手段に記憶された使用者別の前記記録材の消費量を、前記使用者別に表示する表示する表示機能とを実現させるためのプログラム。
【請求項８】
前記使用者は、一般的な使用者である一般ユーザと、前記一般ユーザの管理をする管理者と、前記画像形成装置のメンテナンスをするサービスマンとであることを特徴とする請求項７に記載のプログラム。
【発明の詳細な説明】
【技術分野】
【０００１】
本発明は、画像形成装置及びプログラムに関し、詳細には、画像形成と画像形成装置の補正動作とに分けて記録材の消費量を算出することが可能な画像形成装置及びプログラムに関する。
【背景技術】
【０００２】
従来、紙などの記録媒体上に画像を形成する画像形成装置で複写を行うときには、白黒の原稿の複写が行われていた。原稿の種類としては、写真のように印字率が高いもの、グラフや図形を中心とした発表用資料のように印字率が中間のもの、そして文字や表を中心とした一般文書のように印字率が低いもの、の３つに大別できる。
【０００３】
しかし、近年では、パソコンやカラープリンタの普及に伴い、白黒の原稿に限らず、カラー原稿の複写にカラー複写機が一般に用いられるようになっている。
【０００４】
カラー複写機で複写をした場合、原稿の印字率の高低によってランニングコストが異なるにも関わらず、ユーザへの課金は、一枚あたり一律に規定されている。そこで、例えば印字率の低いカラー原稿を複製する場合には、ユーザに、実質的なランニングコスト以上の課金が要求されるという問題点を有している。
【０００５】
そこで、各記録材の消耗品の消費量を検出し、その消費量を、白黒に近い原稿、線画カラー原稿、フルカラー原稿のいずれかに分類し、それぞれの費用値を算出することにより、原稿の印字率に応じてユーザに課金することが可能となる技術が開示されている（例えば、特許文献１参照）。
【特許文献１】特開平８−２４１０１９号公報
【発明の開示】
【発明が解決しようとする課題】
【０００６】
しかしながら、特許文献１のように、原稿の印字率に応じて消耗品の消費量を検出する技術は、消耗品の消費量は原稿の複写に用いられたものとしており、補正動作又は複写動作のそれぞれによる消費量を検出できないという問題を有している。
特にカラー複写機では、記録媒体に形成する画像の安定性を維持するために、数多くの補正動作を実行している。この補正動作は、そのカラー複写機が設置されている環境、使用方法等によって実行頻度が異なるため、補正動作による消耗品の消費量が個々のカラー複写機により異なる。よって、補正動作を除いた複写動作のみによるランニングコストを知りたいというユーザの要望がある。
【０００７】
本発明は、前記した点に鑑みてなされたもので、画像形成と画像形成装置の補正動作とに分けて記録材の消費量を算出することが可能な画像形成装置を提供することを課題とするものである。
【課題を解決するための手段】
【０００８】
このような課題を解決するために、請求項１に記載の発明は、
記録材を用いて記録媒体に画像データに基づく画像を形成する画像形成装置において、
前記記録媒体に前記画像データに基づく画像を形成する通常動作時の前記記録材の消費量と、前記通常動作時以外で前記記録媒体に画像を形成する補正動作時の前記記録材の消費量とをそれぞれ算出する算出手段と、
前記算出手段により算出された前記通常動作時及び前記補正動作時の前記記録材の消費量をそれぞれ累積加算して記憶する記憶手段と、
前記記憶手段に記憶された前記通常動作時及び前記補正動作時の前記記録材の消費量をそれぞれ表示する表示手段とを備えていることを特徴とする。
【０００９】
請求項２に記載の発明は、請求項１に記載の画像形成装置において、前記補正動作は、前記画像形成装置が定期的に実施する自動補正動作、又は、前記自動補正以外に前記補正動作を行う手動補正動作であることを特徴とする。
【００１０】
請求項３に記載の発明は、
記録材を用いて記録媒体に画像を形成する画像形成装置において、
前記記録媒体に画像を形成する使用者別に前記記録材の消費量を算出する算出手段と、
前記使用者別に算出された前記記録材の消費量をそれぞれ累積加算して記憶する記憶手段と、
前記記憶手段に記憶された使用者別の前記記録材の消費量を、前記使用者別に表示する表示する表示手段とを備えていることを特徴とする。
【００１１】
請求項４に記載の発明は、請求項３に記載に画像形成装置において、前記使用者は、一般的な使用者である一般ユーザと、前記一般ユーザの管理をする管理者と、前記画像形成装置のメンテナンスをするサービスマンとであることを特徴とする。
【００１２】
請求項５に記載の発明は、
記録材を用いて記録媒体に画像データに基づく画像を形成する画像形成装置と通信可能に接続されたコンピュータに、
前記記録媒体に前記画像データに基づく画像を形成する通常動作時の前記記録材の消費量と、前記通常動作時以外で前記記録媒体に画像を形成する補正動作時の前記記録材の消費量とをそれぞれ算出する算出機能と、
前記算出手段により算出された前記通常動作時及び前記補正動作時の前記記録材の消費量をそれぞれ累積加算して記憶する記憶機能と、
前記記憶手段に記憶された前記通常動作時及び前記補正動作時の前記記録材の消費量をそれぞれ表示する表示機能とを実現させるためのプログラムである。
【００１３】
請求項６に記載の発明は、請求項５に記載のプログラムにおいて、前記補正動作は、前記画像形成装置が定期的に実施する自動補正動作、又は、前記自動補正以外に前記補正動作を行う手動補正動作であることを特徴とする。
【００１４】
請求項７に記載の発明は、
記録材を用いて記録媒体に画像を形成する画像形成装置と通信可能に接続されたコンピュータに、
前記記録媒体に画像を形成する使用者別に前記記録材の消費量を算出する算出機能と、
前記使用者別に算出された前記記録材の消費量をそれぞれ累積加算して記憶する記憶機能と、
前記記憶手段に記憶された使用者別の前記記録材の消費量を、前記使用者別に表示する表示する表示機能とを実現させるためのプログラムである。
【００１５】
請求項８に記載の発明は、請求項７に記載のプログラムにおいて、前記使用者は、一般的な使用者である一般ユーザと、前記一般ユーザの管理をする管理者と、前記画像形成装置のメンテナンスをするサービスマンとであることを特徴とする。
【発明の効果】
【００１６】
請求項１に記載の発明によれば、通常動作時と補正動作時とに分けて記録材の消費量を算出することができるので、使用者が画像を形成するのに使用した印字量を正確に把握することができる効果を奏する。また、補正動作により記録材の消費量に基づいて、画像形成装置の不具合の解析をすることができる効果を奏する。
【００１７】
請求項２に記載の発明によれば、自動補正動作と手動補正動作とに分けて記録材の消費量を算出することができるので、使用者が画像を形成するのに使用した印字量をさらに正確に把握することができる効果を奏する。
【００１８】
請求項３に記載の発明によれば、使用者別に記録材の消費量を算出することができるので、使用者別が画像を形成するのに使用した印字量を正確に把握することができる効果を奏する。また、使用者別の記録材の消費量に基づいて、画像形成装置の不具合の解析をすることができる効果を奏する。
【００１９】
請求項４に記載の発明によれば、一般ユーザと管理者とサービスマンとに分けて記録材の消費量を算出することができるので、それぞれの記録材の消費量に基づいて、画像形成装置の不具合の解析をすることができる効果を奏する。
【００２０】
請求項５に記載の発明によれば、通常動作時と補正動作時とに分けて記録材の消費量を算出することができるので、使用者が画像を形成するのに使用した印字量を正確に把握することができる効果を奏する。また、補正動作により記録材の消費量に基づいて、画像形成装置の不具合の解析をすることができる効果を奏する。
【００２１】
請求項６に記載の発明によれば、自動補正動作と手動補正動作とに分けて記録材の消費量を算出することができるので、使用者が画像を形成するのに使用した印字量をさらに正確に把握することができる効果を奏する。
【００２２】
請求項７に記載の発明によれば、使用者別に記録材の消費量を算出することができるので、使用者別が画像を形成するのに使用した印字量を正確に把握することができる効果を奏する。また、使用者別の記録材の消費量に基づいて、画像形成装置の不具合の解析をすることができる効果を奏する。
【００２３】
請求項８に記載の発明によれば、一般ユーザと管理者とサービスマンとに分けて記録材の消費量を算出することができるので、それぞれの記録材の消費量に基づいて、画像形成装置の不具合の解析をすることができる効果を奏する。
【発明を実施するための最良の形態】
【００２４】
以下、本発明に係る画像形成装置の実施形態について説明する。ただし、発明の範囲は、図示例に限定されない。
本発明に係る画像形成装置は、原稿から画像を読み取り、記録媒体に読み取った画像を形成する画像形成手段と、画像が形成された記録媒体にパンチ処理、ステープル処理等を施す後処理手段とを備えたデジタル複合機である。ここで、画像とは、図形や写真等のイメージデータに限らず、文字や記号等のテキストデータ等も含む意である。
【００２５】
図１は、本発明に係る画像形成装置１の概略構成を示したものである。
【００２６】
図１に示すように、画像形成装置１の上面には、本実施形態における表示手段として各種設定条件を入力させる操作表示部２が設けられている。操作表示部２には、各種設定条件を設定する各種操作画面、各機能の動作状況、各種処理結果等が表示されるＬＣＤ（Liquid Crystal Display）３により構成されている。このＬＣＤ３には、透明電極を格子状に配置した感圧式（抵抗膜圧式）のタッチパネル（図示せず）が備えられており、このタッチパネル上で手指やタッチペン等で押下された力点のＸＹ座標を電圧値で検出し、検出された位置信号を操作信号として後述する操作表示制御部４（図２参照）に出力するようになっている。その他、操作表示部２には、図示しない数字ボタンや各種設定、動作モード等を切り替える機能ボタン、動作のスタートを指示するためのスタートボタン等の各種操作ボタンを備えている。
【００２７】
また、画像形成装置１の上面には、自動原稿給送装置であるＡＤＦ（Auto Document Feeder）部５が設けられており、原稿台６に載置された原稿を一枚ずつ所定位置に自動搬送するようになっている。
【００２８】
画像形成装置１の内部であってＡＤＦ部５の下方に対応する位置には、ＡＤＦ部５により搬送された原稿の読み取り処理を行う画像読取部７が設けられている。画像読取部７には、プラテンガラスと、ＣＣＤ（Charge Coupled Device）等の撮像素子と、光源とを備えるスキャナ８（図２参照）が備えられている。スキャナ８では、光源が原稿に露光走査し、その反射光がＣＣＤで光電変換されることにより、原稿画像データが取得されるようになっている。
【００２９】
画像形成装置１の内部であって画像読取部７の下方に対応する位置には、印刷用画像データに基づく画像を電子写真方式により記録媒体Ｐに形成するプリンタ部９が設けられている。プリンタ部９には、記録媒体Ｐを収容する給紙ユニット１０、給紙ユニット１０から給紙された記録媒体Ｐを搬送する搬送部１１、記録媒体Ｐに画像を形成する画像形成部１２とが備えられている。
給紙ユニット１０には、複数の給紙カセット１３及び手差しトレイ１４とが設けられている。各給紙カセット１３には、給紙カセット１３毎に普通紙、裏紙、再生紙、上質紙等の用紙種及びサイズが異なる記録媒体Ｐが収容されている。また、手差しトレイ１４には、様々な種類の記録媒体Ｐを、ユーザの要望に合わせて載置することが可能となっている。
搬送部１１には、給紙ユニット１０から給紙された記録媒体Ｐを画像形成装置１の内部の所定の搬送経路に沿って搬送するための複数の搬送ローラ１５、記録媒体Ｐの搬送経路を途中で切り替える搬送経路切換板１６、及び記録媒体Ｐを反転させる反転部１７が設けられており、給紙カセット１３又は手差しトレイ１４に搭載された記録媒体Ｐを最上部から一枚ずつ画像形成部１２に搬送するようになっている。
画像形成部１２には、静電潜像が形成される感光ドラム１８と、感光ドラム１８を帯電させる帯電部１９と、画像データに基づいて感光ドラム表面に露光走査するＬＤ（Laser Diode）２０と、トナーを感光ドラム１８に付着させる現像部２１と、感光ドラム１８上に形成されたトナー像を記録媒体Ｐに転写する転写部２２と、感光ドラム上の残トナーを除去するクリーニング部２３と、記録媒体Ｐ上に形成されたトナー像を定着させる定着部２４とが設けられている。また、画像形成部１２には、記録媒体Ｐ上に転写されたトナー像の位置やパッチ濃度を検出する検出センサ２５が設けられている。
【００３０】
また、画像形成装置１には、画像が形成された記録媒体Ｐに各種後処理を施す後処理装置（ＦＮＳ：フィニッシャー）２６が、設けられている。後処理装置２６には、画像が形成された記録媒体Ｐにステープル処理を施すステープル、画像が形成された記録媒体Ｐにパンチ（穴あけ）処理を施すパンチ等（いずれも図示せず）が備えられており、小冊子の作成や製本を行うことが可能なようになっている。
【００３１】
次に、図２を参照しつつ、本発明に係る画像形成装置１の制御構成について説明する。
【００３２】
画像形成装置１には、画像形成装置１の各部の駆動を制御する状態管理部２７が備えられている。
【００３３】
状態管理部２７は、ＣＰＵ（Central Processing Unit）２８、プログラムメモリ２９、ＲＡＭ（Random Access Memory）３０、不揮発メモリ３１、読取処理部３２、ＤＲＡＭ（Dynamic Random Access Memory）制御ＩＣ３３、圧縮・伸長ＩＣ３４、画像メモリ（ＤＲＡＭ）３５及び書込処理部３６を備えて構成されている。本実施形態において、算出手段は書込処理部３６であり、記憶手段は不揮発メモリ３１である。
【００３４】
状態管理部２７には、ＣＰＵ２８が接続されており、ＣＰＵ２８によって、プログラムメモリ２９に記憶されているシステムプログラムや印字量算出プログラムを始めとする各種処理プログラムが読み出されてＲＡＭ３０に展開され、展開したプログラムに従って各種処理が実行されるようになっている。
【００３５】
ＣＰＵ２８には、半導体等の不揮発メモリ等により構成されたプログラムメモリ２９が接続されている。プログラムメモリ２９には、画像形成装置１に対応するシステムプログラム、及び該システムプログラム上で実行可能な印字量算出プログラムを始めとする各種処理プログラム等が記憶されている。プログラムは、コンピュータが読み取り可能なプログラムコードの形態で格納されており、ＣＰＵ２８により、当該プログラムコードに従った動作が逐次実行されるようになっている。
【００３６】
また、ＣＰＵ２８には、ＣＰＵ２８によって各種処理を実行制御するときに、プログラムメモリ２９から読み出されたプログラム等の一時的な格納領域となるＲＡＭ３０が接続されている。ＲＡＭ３０が有する格納領域としては、例えば、ジョブ毎の設定情報を一時的に格納するためのジョブ設定情報格納領域がある。
【００３７】
また、ＣＰＵ２８は、情報設定手段として、操作表示部２を介して入力されたジョブ毎の設定情報を認識し、ＲＡＭ３０のジョブ設定格納領域に格納する。特に本実施形態においては、操作表示部２から、手動補正の設定情報や、動作モードの設定情報が入力される。また、本発明に係る記録材は、トナーである。ＣＰＵ２８は、入力された情報から、トナーの消費量を算出し、その結果を設定情報に応じた格納領域に格納する。
【００３８】
ＣＰＵ２８には、画像形成装置１に係る各種設定データ等が記憶されている不揮発メモリ３１が接続されている。
【００３９】
スキャナ８には、画像読取部７により取得した原稿画像データに各種画像処理を施して印刷用画像データを生成する読取処理部３２が接続されている。読取処理部３２により生成された印刷用画像データは、ＤＲＡＭ制御ＩＣ３３に出力されるようになっている。
【００４０】
ＣＰＵ２８には、ＣＰＵ２８からの制御に基づいて、印刷用画像データの圧縮処理及び圧縮された印刷用画像データの伸長処理を制御するＤＲＡＭ制御ＩＣ３３が接続されている。
ＤＲＡＭ制御ＩＣ３３には、ＤＲＡＭ制御ＩＣ３３の制御により印刷用画像データの圧縮処理及び伸長処理を行うＩＣである圧縮・伸長ＩＣ３４が接続されている。
また、ＤＲＡＭ制御ＩＣ３３には、ＤＲＡＭにより構成される画像メモリ３５が接続されている。画像メモリ３５には、圧縮・伸長ＩＣ３４によりにより圧縮された印刷用画像データを一時的に記憶する圧縮メモリ３７が、備えられている。
また、ＤＲＡＭ制御ＩＣ３３には、圧縮・伸長ＩＣ３４から入力される印刷用画像データに基づくＰＷＭ（Pulse Width Modulation）信号を生成し、プリンタ部９にＰＷＭ信号を出力する書込処理部３６が接続されている。また、書込処理部３６では、記録材であるトナーの消費量を算出するようになっており、その算出結果が、不揮発メモリ３１に累計加算して保存されるようになっている。
ＤＲＡＭ制御ＩＣ３３は、ＣＰＵ２８からの制御に基づいて、読取処理部３２から入力された画像データを圧縮するように圧縮・伸長ＩＣ３４を制御し、圧縮された印刷用画像データを画像メモリ３５の圧縮メモリ３７に書き込んで一時的に記憶させるようになっている。また、ＤＲＡＭ制御ＩＣ３３は、ＣＰＵ２８から印刷用画像データ出力の指示があると、圧縮メモリ３７に記憶されている出力指示された印刷用画像データを伸長するように圧縮・伸長ＩＣ３４を制御し、書込処理部３６に出力するようになっている。
【００４１】
また、状態管理部２７のＣＰＵ２８には、操作表示部２を制御する操作表示制御部４、画像読取部７を制御するスキャナ制御部３８、ＡＤＦ部５を制御するＡＤＦ制御部３９、及びプリンタ部９を制御するプリンタ制御部４０が、それぞれ接続されている。これら各制御部は、ＣＰＵ２８からの信号に基づいてそれぞれ各部の動作を制御するようになっている。また、後処理装置２６には、プリンタ制御部４０と接続しているＦＮＳ制御部４１が設けられており、ＦＮＳ制御部によりプリンタ制御部４０を介してＣＰＵ２８からの制御信号に基づいて後処理装置２６の各部の動作が制御されるようになっている。
【００４２】
まず、操作表示制御部４は、ＣＰＵ２８からの表示信号を受信して、ＬＣＤ３における表示を制御するようになっている。また、操作表示制御部４は、ＬＣＤ３上のタッチパネルから入力される操作信号をＣＰＵ２８に出力するように制御する。
【００４３】
スキャナ制御部３８は、ＣＰＵ２８からの制御信号を受信して、光源から原稿に光を走査させるように制御するとともに、原稿による反射光をＣＣＤで光電変換することにより原稿画像データを取得するように制御するようになっている。そしてスキャナ制御部３８は、取得した原稿画像データを読取処理部３２に出力するように制御するようになっている。
【００４４】
ＡＤＦ制御部３９は、ＣＰＵ２８から入力される制御信号に基づいてＡＤＦ部５各部の駆動を制御し、原稿台６に載置された原稿を画像読取部７のプラテンガラス上に１枚ずつ自動給送するようになっている。
【００４５】
プリンタ制御部４０は、ＣＰＵ２８から入力される制御信号に基づいて、感光ドラム１８の駆動を制御して帯電部１９により感光ドラム１８の表面を帯電させ、書込処理部３６から入力されたＰＷＭ信号に基づいてＬＤ２０の駆動を制御して感光ドラム１８表面にレーザ光を照射させて静電潜像を形成し、現像部２１の駆動を制御して感光ドラム１８表面の静電潜像を含む領域にトナーを付着させるようになっている。そして、プリンタ制御部４０は、搬送部１１を駆動制御して給紙ユニット１０から所定の記録媒体Ｐを搬送経路に沿って搬送させ、転写部２２を駆動制御して搬送された記録媒体Ｐにトナーを転写して画像を形成し、定着部２４を駆動制御して画像を定着させるようになっている。その後、プリンタ制御部４０は、搬送部１１を駆動制御して画像が形成された記録媒体Ｐを後処理装置２６に送出するようになっている。両面印刷を行う場合には、プリンタ制御部４０は、搬送部１１を駆動制御し、片面が印刷された記録媒体Ｐを搬送経路切換板１６を介して反転部１７に搬送し、反転部１７を駆動制御して記録媒体Ｐの表裏を反転して感光ドラム１８に再搬送し、画像形成部１２を駆動制御して反転後の記録媒体Ｐの表面に画像を形成、定着させて後処理装置２６に送出するようになっている。
【００４６】
また、プリンタ制御部４０は、画像形成装置１の補正動作を実施するようになっている。ここで、補正動作には、感光ドラム１８上に形成したパッチの濃度を検出センサ２５により検出し、その濃度を予め記憶されていた濃度と比較して補正する補正動作、感光ドラム１８上に形成した所定のパターンの色ずれを検出センサ２５により検出し、その色ずれを補正する補正動作、クリーニングブレードが捲れないようにクリーニング部２３にトナーを供給する補正動作、トナー消費量が少ないと判断したときに強制的にトナーを消費してリフレッシュする補正動作などがある。
また、この補正動作には、予めプログラムメモリ２９に格納された周期に基づいてプリンタ制御部４０が実施する自動補正動作と、ユーザが操作表示部４を介した入力に基づいてプリンタ制御部４０が実施する手動補正動作とがある。この手動補正動作は、操作表示制御部４がＣＰＵ２８からの表示信号を受信して、ＬＣＤ３に、図３に示すような手動補正実行画面を表示させ、ユーザの入力に応じた手動補正の操作信号をＣＰＵ２８に出力させることにより、実行されるようになっている。
【００４７】
また、プリンタ制御部４０は、ＣＰＵ２８から入力される制御信号に基づいて、プリンタ部９の各部の動作を制御するとともに、ＣＰＵ２８及びＦＮＳ制御部４１間のデータ通信の中継を行うようになっている。
【００４８】
ＦＮＳ制御部４１には、ＣＰＵと、後処理装置２６に対応するシステムプログラム、該システムプログラム上で実行可能な各種処理プログラムを記憶するプログラムメモリと、ＲＡＭと（いずれも図示せず）が備えられている。ＦＮＳ制御部４１のＣＰＵは、入力された制御信号に基づきプログラムメモリに記憶されたプログラムとの協働により各部を駆動制御し、プリンタ部９から排出された記録媒体Ｐを、図示しないローラ等により構成される搬送手段により、指示された搬送経路に沿って搬送し、図示しない中間スタッカ等の積載手段に１部毎に集積して、ステイプル処理、中綴じ処理、中折り処理等の後処理を行って、指示された排出トレイに排出するようになっている。
【００４９】
次に、図４を参照しながら、本実施形態に係る使用者別の動作モードの遷移について説明する。ここで、動作モードとは、一般的な使用者が使うモードであるユーザモード、一般ユーザの代表である管理者が使用する管理者モード、画像形成装置１のメンテナンスをするサービスマンが使用するモードであるサービスモードであり、それぞれのモードでは使用できる操作が異なるようになっている。また、本実施形態の使用者とは、ユーザ、管理者、サービスマンのうち少なくとも２つである。
図４に、動作モードの遷移を示す概念図を示す。画像形成装置１の電源が入ったときは、ユーザモードが設定されており、このユーザモードにより画像形成が行われたときは、画像形成に用いられたトナーの消費量が書込処理部３６により通常モード累計印字量として算出され、この算出結果が不揮発メモリ３１に累計加算されるようになっている。管理者釦（図示略）が押下されることによりユーザモードから管理者モードに遷移し、また、終了釦（図示略）が押下されることにより管理者モードからユーザモードに遷移するようになっている。管理者モードにて画像形成に用いられたトナーの消費量は、書込処理部３６により管理者モード累計印字量として算出され、この算出結果が不揮発メモリ３１に累計加算されるようになっている。さらに、暗号番号を押下するなどの特殊操作により管理者モードからサービスモードに遷移し、また、終了釦が押下されることによりサービスモードから管理者モードに遷移するようになっている。サービスモードにて画像形成に用いられたトナーの消費量は、書込処理部３６によりサービスモード累計印字量として算出され、この算出結果が不揮発メモリ３１に累計加算されるようになっている。
また、操作表示制御部４は、このように算出されたトナーの消費量を、ＣＰＵ２８からの表示信号を受信することにより、ＬＣＤ３に、表示させるようになっている。図５は、自動補正と手動補正とに分けてトナーの消費量を示す画面の例である。また、図６は、管理者による補正動作が行われた管理者モードと、サービスマンによる補正動作が行われたサービスモードとに分けてトナーの消費量を示す画面の例である。図５及び図６には、プロセスカラー別（Ｙ：イエロー、Ｍ：マゼンタ、Ｃ：シアン、Ｋ：ブラック）のトナーの消費量が表示されており、プリントカウントは印刷枚数を、カバレッジは印字率を、自動補正累計及び手動補正累計は、Ａ４サイズの全面に印字したときのトナーの消費量を１００％としたときに、１枚当たりの平均印字率を、それぞれ示すものである。
【００５０】
次に、本実施の形態に係るプログラムを用いた画像形成装置１の作用について説明する。
【００５１】
操作表示部２から、印刷処理に関して印刷部数、記録を行う転写紙の種類やサイズ、後処理の有無や設定情報の入力、及び印刷処理開始の指示が入力されると、入力された設定情報が状態管理部２７のＣＰＵ２８に送られて、印刷処理が開始される。
【００５２】
すなわち、ＣＰＵ２８からの指示を受けてＡＤＦ制御部３９がＡＤＦ部５を動作させて原稿を順次画像読取部７のプラテンガラス上に自動給紙させるとともに、スキャナ制御部３８がスキャナ８を動作させることにより原稿が読み取られ、読み取られた画像のデータが読取処理部３２に出力される。読み取られた画像データは書込処理部３６に出力され、プリンタ制御部４０が当該画像データに基づいてＬＤ２０等を動作させることにより、記録媒体に画像が形成される。
【００５３】
画像形成装置１は、記録媒体Ｐに画像を形成する動作のほかに補正動作を実施し、それぞれの動作でトナーの消費量を算出するようになっている。このトナーの消費量は、自動補正又は手動補正別、ユーザ、管理者、サービスマンの使用者別、また使用者別かつ自動補正又は手動補正別のいずれかのモードで算出する。以下、図７から図１０を用いて、それぞれのモードでのトナーの消費量の算出について、詳細に説明する。なお、図７から図１０のフローチャートは、プログラムメモリ２９に格納されたプログラムとＣＰＵ２８の協働により実行される処理である。
【００５４】
［自動補正又は手動補正別］
図７に、自動補正又は手動補正別のトナーの消費量の算出についてのフローチャートを示す。
まず、ＣＰＵ２８は、記録媒体Ｐに実画像を形成する準備が終了したか否かを判断する（ステップＳ１）。記録媒体Ｐに実画像を形成する準備が終了した場合（ステップＳ１；Ｙｅｓ）には、ＣＰＵ２８は、プリンタ制御部４０に記録媒体Ｐに印刷用画像データに基づいた実画像を形成させると同時に、書込処理部３６にて画像を形成するのに用いられる印字量の計測を開始させる（ステップＳ２）。そして、ＣＰＵ２８は、記録媒体Ｐに実画像が形成されたか否かを判断する（ステップＳ３）。実画像の形成が終了していないと判断した場合（ステップＳ３；Ｎｏ）には、一定時間後、ＣＰＵ２８は、記録媒体Ｐに実画像が形成されたか否かを再度判断する（ステップＳ３）。記録媒体Ｐに実画像が形成されたと判断した場合（ステップＳ３；Ｙｅｓ）には、ＣＰＵ２８は、書込処理部３６にて画像を形成するのに用いられる印字量の計測を終了させる（ステップＳ４）。そして、ＣＰＵ２８は、書込処理部３６にて記録媒体Ｐに実画像を形成するのに用いられた印字量を算出し（ステップＳ５）、その算出結果を不揮発メモリ３１の実画像の総累計印字量に加算し（ステップＳ６）、再度、実画像を形成する準備が終了したか否かを判断する（ステップＳ１）。
【００５５】
記録媒体Ｐに実画像を形成する準備をしていると判断した場合（ステップＳ１；Ｎｏ）には、ＣＰＵ２８は、手動補正モードが設定されているか否かを判断する（ステップＳ７）。手動補正モードが設定されていない場合（ステップＳ７；Ｎｏ）には、ＣＰＵ２８は、記録媒体Ｐに補正画像を自動補正モードで形成する準備が終了したか否かを判断する（ステップＳ８）。記録媒体Ｐに補正画像を自動補正モードで形成する準備が終了した場合（ステップＳ８；Ｙｅｓ）には、ＣＰＵ２８は、プリンタ制御部４０に記録媒体Ｐに補正画像を形成させると同時に、書込施処理部３６にて自動補正モードで補正画像を形成するのに用いられる印字量の計測を開始させる（ステップＳ９）。そして、ＣＰＵ２８は、記録媒体Ｐに補正画像が形成されたか否かを判断する（ステップＳ１０）。補正画像の形成が終了していないと判断した場合（ステップＳ１０；Ｎｏ）には、一定時間後、ＣＰＵ２８は、記録媒体Ｐに補正画像が形成されたか否かを再度判断する。記録媒体Ｐに補正画像が形成されたと判断した場合（ステップＳ１０；Ｙｅｓ）には、ＣＰＵ２８は、書込処理部３６にて補正画像を形成するのに用いられる印字量の計測を終了させる（ステップＳ１１）。そして、ＣＰＵ２８は、書込処理部３６にて記録媒体Ｐに補正画像を自動補正モードで形成するのに用いられた印字量を算出し（ステップＳ１２）、その算出結果を不揮発メモリ３１の実画像の総累計印字量に加算し（ステップＳ１３）、また、その算出結果を不揮発メモリ３１の自動補正画像の累計印字量に加算し（ステップＳ１４）、再度、実画像を形成する準備が終了したか否かを判断する（ステップＳ１）。
【００５６】
手動補正モードが設定されている場合（ステップＳ７；Ｙｅｓ）には、ＣＰＵ２８は、記録媒体Ｐに補正画像を手動補正モードで形成する準備が終了したか否かを判断する（ステップＳ１５）。記録媒体Ｐに補正画像を手動補正モードで形成する準備が終了した場合（ステップＳ１５；Ｙｅｓ）には、ＣＰＵ２８はプリンタ制御部４０に記録媒体Ｐに補正画像を形成させると同時に、書込処理部３６にて手動補正モードで補正画像を形成するのに用いられる印字量の計測を開始させる（ステップＳ１６）。そして、ＣＰＵ２８は、記録媒体Ｐに補正画像が形成されたか否かを判断する（ステップＳ１７）。補正画像の形成が終了していないと判断した場合（ステップＳ１７；Ｎｏ）には、一定時間後、ＣＰＵ２８は、記録媒体Ｐに補正画像が形成されたか否かを再度判断する。記録媒体Ｐに補正画像が形成されたと判断した場合（ステップＳ１７；Ｙｅｓ）には、ＣＰＵ２８は、書込処理部３６にて補正画像を形成するのに用いられる印字量の計測を終了させる（ステップＳ１８）。そして、ＣＰＵ２８は、書込処理部３６にて記録媒体Ｐに補正画像を手動補正モードで形成するのに用いられた印字量を算出し（ステップＳ１９）、その算出結果を不揮発メモリ３１の実画像の総累計印字量に加算し（ステップＳ２０）、また、その算出結果を不揮発メモリ３１の手動補正画像の累計印字量に加算し（ステップＳ２１）、再度、実画像を形成する準備が終了したか否かを判断する（ステップＳ１）。
【００５７】
［使用者別］
図８に、使用者別のトナーの消費量の算出についてのフローチャートを示す。
まず、ＣＰＵ２８は、ユーザモードが設定されているか否かを判断する（ステップＳ３１）。ユーザモードが設定されている場合（ステップＳ３１；Ｙｅｓ）には、ＣＰＵ２８は、記録媒体Ｐに実画像を形成する準備が終了したか否かを判断する（ステップＳ３２）。記録媒体Ｐに実画像を形成する準備が終了していないと判断した場合（ステップＳ３２；Ｎｏ）には、一定時間後、ＣＰＵ２８は、ユーザモードが設定されているか否かを判断する（ステップＳ３１）。記録媒体Ｐに実画像を形成する準備が終了した場合（ステップＳ３２；Ｙｅｓ）には、ＣＰＵ２８は、プリンタ制御部４０に記録媒体Ｐに印刷用画像データに基づいた実画像を形成させると同時に、書込処理部３６にて画像を形成するのに用いられる印字量の計測を開始させる（ステップＳ３３）。そして、ＣＰＵ２８は、記録媒体Ｐに実画像が形成されたか否かを判断する（ステップＳ３４）。実画像の形成が終了していないと判断した場合（ステップＳ３４；Ｎｏ）には、一定時間後、ＣＰＵ２８は、記録媒体Ｐに実画像が形成されたか否かを再度判断する（ステップＳ３４）。記録媒体Ｐに実画像が形成されたと判断した場合（ステップＳ３４；Ｙｅｓ）には、ＣＰＵ２８は、書込処理部３６にて画像を形成するのに用いられる印字量の計測を終了させる（ステップＳ３５）。そして、ＣＰＵ２８は、書込処理部３６にて記録媒体Ｐに実画像を形成するのに用いられた印字量を算出し（ステップＳ３６）、その算出結果を不揮発メモリ３１のユーザモードの累計印字量に加算し（ステップＳ３７）、再度、ユーザモードが設定されているか否かを判断する（ステップＳ３１）。
【００５８】
ユーザモードが設定されていない場合（ステップＳ３１；Ｎｏ）には、ＣＰＵ２８は、管理者モードが設定されているか否かを判断する（ステップＳ３８）。管理者モードが設定されている場合（ステップＳ３８；Ｙｅｓ）には、ＣＰＵ２８は、記録媒体Ｐに実画像を形成する準備が終了したか否かを判断する（ステップＳ３９）。記録媒体Ｐに実画像を形成する準備が終了していないと判断した場合（ステップＳ３９；Ｎｏ）には、一定時間後、ＣＰＵ２８は、ユーザモードが設定されているか否かを判断する（ステップＳ３１）。記録媒体Ｐに実画像を形成する準備が終了した場合（ステップＳ３９；Ｙｅｓ）には、ＣＰＵ２８は、プリンタ制御部４０に記録媒体Ｐに印刷用画像データに基づいた実画像を形成させると同時に、書込処理部３６にて画像を形成するのに用いられる印字量の計測を開始させる（ステップＳ４０）。そして、ＣＰＵ２８は、記録媒体Ｐに実画像が形成されたか否かを判断する（ステップＳ４１）。実画像の形成が終了していないと判断した場合（ステップＳ４１；Ｎｏ）には、一定時間後、ＣＰＵ２８は、記録媒体Ｐに実画像が形成されたか否かを再度判断する（ステップＳ４１）。記録媒体Ｐに実画像が形成されたと判断した場合（ステップＳ４１；Ｙｅｓ）には、ＣＰＵ２８は、書込処理部３６にて画像を形成するのに用いられる印字量の計測を終了させる（ステップＳ４２）。そして、ＣＰＵ２８は、書込処理部３６にて記録媒体Ｐに実画像を形成するのに用いられた印字量を算出させ（ステップＳ４３）、その算出結果を不揮発メモリ３１の管理者モードの累計印字量に加算し（ステップＳ４４）、再度、ユーザモードが設定されているか否かを判断する（ステップＳ３１）。
【００５９】
管理者モードが設定されていない場合（ステップＳ３８；Ｎｏ）には、ＣＰＵ２８は、サービスモードが設定されているか否かを判断する（ステップＳ４５）。サービスモードが設定されていない場合（ステップＳ４５；Ｎｏ）には、一定時間後、ＣＰＵ２８は、ユーザモードが設定されているか否かを判断する（ステップＳ３１）。サービスモードが設定されている場合（ステップＳ４５；Ｙｅｓ）には、ＣＰＵ２８は、記録媒体Ｐに実画像を形成する準備が終了したか否かを判断する（ステップＳ４６）。記録媒体Ｐに実画像を形成する準備が終了していないと判断した場合（ステップＳ４６；Ｎｏ）には、一定時間後、ＣＰＵ２８は、ユーザモードが設定されているか否かを判断する（ステップＳ３１）。記録媒体Ｐに実画像を形成する準備が終了した場合（ステップＳ４６；Ｙｅｓ）には、ＣＰＵ２８は、プリンタ制御部４０に記録媒体Ｐに印刷用画像データに基づいた実画像を形成させると同時に、書込処理部３６にて画像を形成するのに用いられる印字量の計測を開始させる（ステップＳ４７）。そして、ＣＰＵ２８は、記録媒体Ｐに実画像が形成されたか否かを判断する（ステップＳ４８）。実画像の形成が終了していないと判断した場合（ステップＳ４８；Ｎｏ）には、一定時間後、ＣＰＵ２８は、記録媒体Ｐに実画像が形成されたか否かを再度判断する（ステップＳ４８）。記録媒体Ｐに実画像が形成されたと判断した場合（ステップＳ４８；Ｙｅｓ）には、ＣＰＵ２８は、書込処理部３６にて画像を形成するのに用いられる印字量の計測を終了させる（ステップＳ４９）。そして、ＣＰＵ２８は、書込処理部３６にて記録媒体Ｐに実画像を形成するのに用いられた印字量を算出させ（ステップＳ５０）、その算出結果を不揮発メモリ３１のサービスモードの累計印字量に加算し（ステップＳ５１）、再度、ユーザモードが設定されているか否かを判断する（ステップＳ３１）。
【００６０】
［自動補正又は手動補正別かつ使用者別］
図９に、自動補正又は手動補正別かつ使用者別のトナーの消費量の算出についてのフローチャートを示す。
まず、ＣＰＵ２８は、ユーザモードが設定されているか否かを判断する（ステップＳ６１）。ユーザモードが設定されている場合（ステップＳ６１；Ｙｅｓ）には、ＣＰＵ２８は、ユーザモードの印字量格納領域を設定し（ステップＳ６２）、処理フローＡを実施し（ステップＳ６３）、再度、ユーザモードが設定されているか否かを判断する（ステップＳ６１）。
【００６１】
図１０に、処理フローＡのフローチャートを示す。
処理フローＡでは、まず、ＣＰＵ２８は、記録媒体Ｐに実画像を形成する準備が終了したか否かを判断する（ステップＳ６３１）。記録媒体Ｐに実画像を形成する準備が終了した場合（ステップＳ６３１；Ｙｅｓ）には、ＣＰＵ２８は、プリンタ制御部４０に記録媒体Ｐに印刷用画像データに基づいた実画像を形成させると同時に、書込処理部３６にて画像を形成するのに用いられる印字量の計測を開始させる（ステップＳ６３２）。そして、ＣＰＵ２８は、記録媒体Ｐに実画像が形成されたか否かを判断する（ステップＳ６３３）。実画像の形成が終了していないと判断した場合（ステップＳ６３３；Ｎｏ）には、一定時間後、ＣＰＵ２８は、記録媒体Ｐに実画像が形成されたか否かを再度判断する（ステップＳ６３３）。記録媒体Ｐに実画像が形成されたと判断した場合（ステップＳ６３３；Ｙｅｓ）には、ＣＰＵ２８は、書込処理部３６にて画像を形成するのに用いられる印字量の計測を終了させる（ステップＳ６３４）。そして、ＣＰＵ２８は、書込処理部３６にて記録媒体Ｐに実画像を形成するのに用いられた印字量を算出させ（ステップＳ６３５）、その算出結果を不揮発メモリ３１の実画像の総累計印字量に加算し（ステップＳ６３６）、処理フローＡを終了させる。
【００６２】
記録媒体Ｐに実画像を形成する準備をしていると判断した場合（ステップＳ６３１；Ｎｏ）には、ＣＰＵ２８は、手動補正モードが設定されているか否かを判断する（ステップＳ６３７）。手動補正モードが設定されていない場合（ステップＳ６３７；Ｎｏ）には、ＣＰＵ２８は、記録媒体Ｐに補正画像を自動補正モードで形成する準備が終了したか否かを判断する（ステップＳ６３８）。記録媒体Ｐに補正画像を自動補正モードで形成する準備が終了した場合（ステップＳ６３８；Ｙｅｓ）には、ＣＰＵ２８は、プリンタ制御部４０に記録媒体Ｐに補正画像を形成させると同時に、書込処理部３６にて自動補正モードで補正画像を形成するのに用いられる印字量の計測を開始させる（ステップＳ６３９）。そして、ＣＰＵ２８は、記録媒体Ｐに補正画像が形成されたか否かを判断する（ステップＳ６４０）。補正画像の形成が終了していないと判断した場合（ステップＳ６４０；Ｎｏ）には、一定時間後、ＣＰＵ２８は、記録媒体Ｐに補正画像が形成されたか否かを再度判断する。記録媒体Ｐに補正画像が形成されたと判断した場合（ステップＳ６４０；Ｙｅｓ）には、ＣＰＵ２８は、書込処理部３６にて補正画像を形成するのに用いられる印字量の計測を終了させる（ステップＳ６４１）。そして、ＣＰＵ２８は、書込処理部３６にて記録媒体Ｐに補正画像を自動補正モードで形成するのに用いられた印字量を算出させ（ステップＳ６４２）、その算出結果を不揮発メモリ３１の実画像の総累計印字量に加算し（ステップＳ６４３）、また、その算出結果を不揮発メモリ３１の自動補正画像の累計印字量に加算し（ステップＳ６４４）、処理フローＡを終了させる。
【００６３】
手動補正モードが設定されている場合（ステップＳ６３７；Ｙｅｓ）には、ＣＰＵ２８は、記録媒体Ｐに補正画像を手動補正モードで形成する準備が終了したか否かを判断する（ステップＳ６４５）。記録媒体Ｐに補正画像を手動補正モードで形成する準備が終了した場合（ステップＳ６４５；Ｙｅｓ）には、ＣＰＵ２８は、プリンタ制御部４０に記録媒体Ｐに補正画像を形成させると同時に、書込処理部３６にて手動補正モードで補正画像を形成するのに用いられる印字量の計測を開始させる（ステップＳ６４６）。そして、ＣＰＵ２８は、記録媒体Ｐに補正画像が形成されたか否かを判断する（ステップＳ６４７）。補正画像の形成が終了していないと判断した場合（ステップＳ６４７；Ｎｏ）には、一定時間後、ＣＰＵ２８は、記録媒体Ｐに補正画像が形成されたか否かを再度判断する。記録媒体Ｐに補正画像が形成されたと判断した場合（ステップＳ６４７；Ｙｅｓ）には、ＣＰＵ２８は、書込処理部３６にて補正画像を形成するのに用いられる印字量の計測を終了させる（ステップＳ６４８）。そして、ＣＰＵ２８は、書込処理部３６にて記録媒体Ｐに補正画像を手動補正モードで形成するのに用いられた印字量を算出させ（ステップＳ６４９）、その算出結果を不揮発メモリ３１の実画像の総累計印字量に加算し（ステップＳ６５０）、また、その算出結果を不揮発メモリ３１の手動補正画像の累計印字量に加算し（ステップＳ６５１）、処理フローＡを終了させる。
【００６４】
図９に戻り、ユーザモードが設定されていない場合（ステップＳ６１；Ｎｏ）には、ＣＰＵ２８は、管理者モードが設定されているか否かを判断する（ステップＳ６６）。管理者モードが設定されている場合（ステップＳ６６；Ｙｅｓ）には、ＣＰＵ２８は、管理者モードの印字量格納領域を設定し（ステップＳ６７）、処理フローＡを実施し（ステップＳ６３）、再度、ユーザモードが設定されているか否かを判断する（ステップＳ６１）。
【００６５】
管理者モードが設定されていない場合（ステップＳ６６；Ｎｏ）には、ＣＰＵ２８は、サービスモードが設定されているか否かを判断する（ステップＳ６８）。サービスモードが設定されていない場合（ステップＳ６８；Ｎｏ）には、一定時間後に、ＣＰＵ２８は、ユーザモードが設定されているか否かを判断する（ステップＳ６１）。サービスモードが設定されている場合（ステップＳ６８；Ｙｅｓ）には、ＣＰＵ２８は、サービスモードの印字量格納領域を設定し（ステップＳ６９）、処理フローＡを実施し（ステップＳ６３）、再度、ユーザモードが設定されているか否かを判断する（ステップＳ６１）。
【００６６】
以上のように、本発明による画像形成装置１は、通常動作時と補正動作時、また補正動作時を自動補正動作と手動補正動作とに分けて記録材であるトナーの消費量を算出することができるので、使用者が画像を形成するのに使用した印字量を正確に把握することができる効果を奏する。また、補正動作によりトナーの消費量に基づいて、画像形成装置の不具合の解析をすることができる効果を奏する。また、本発明による画像形成装置１は、使用者別にトナーの消費量を算出することができるので、使用者別にが画像を形成するのに使用した印字量を正確に把握し、また、使用者別のトナーの消費量に基づいて、画像形成装置の不具合の解析をすることができる効果を奏する。
【００６７】
なお、本実施例では、トナーの消費量を操作表示部２に表示する例を示したが、これに限定されず、トナーの消費量を外部表示装置に表示させたり、印刷させたりするようになっていてもよい。
【図面の簡単な説明】
【００６８】
【図１】本発明に係る画像形成装置の概略構成を示す断面図である。
【図２】本発明に係る画像形成装置の制御構成を示したブロック図である。
【図３】本発明に係る手動補正実行画面を示した図である。
【図４】本発明に係る動作モードの遷移を示す概念図である。
【図５】本発明に係る自動補正と手動補正に分けて記録材の消費量を示す画面である。
【図６】本発明に係るモード別に分けて記録材の消費量を示す画面である。
【図７】本発明に係る自動補正と手動補正に分けて記録材の消費量を算出する処理のフローチャートである。
【図８】本発明に係る動作モード別に記録材の消費量を算出する処理のフローチャートである。
【図９】本発明に係る自動補正又は手動補正かつ動作モード別に記録材の消費量を算出する処理のフローチャートである。
【図１０】本発明に係る自動補正又は手動補正かつ動作モード別に記録材の消費量を算出する処理の共通フローチャートである。
【符号の説明】
【００６９】
１     画像形成装置
２     操作表示部
３１   不揮発メモリ
３６   書込処理部
【図１】
2007187872.tif 000003
【図２】
2007187872.tif 000004
【図３】
2007187872.tif 000005
【図４】
2007187872.tif 000006
【図５】
2007187872.tif 000007
【図６】
2007187872.tif 000008
【図７】
2007187872.tif 000009
【図８】
2007187872.tif 000010
【図９】
2007187872.tif 000011
【図１０】
2007187872.tif 000012